(57)【要約】【課題】特別に設計された送信機及び入手が困難な特別の受信機を使用することなく、長時間の使用に耐えると共に１０ｍを超すような長いイベント行列であっても展示物の説明を聞くことができ、展示物が接近した場合でも隣り合う展示物の説明に混信が発生することのない音声ガイダンスシステムを提供する。【解決手段】本発明のＦＭラジオを活用した音声ガイダンスシステムは上記課題を解決するものであり、周波数変調（ＦＭ）の特性として、同一搬送周波数であれば強度が強い方が選択される（マスキング）効果を活用して混信を防ぐことに利用した発明であり、また、不特定多数の人にも対応可能とするため通常の市販のＦＭラジオを活用するものである。本発明は、静止する展示物ばかりでなく、移動する展示物にも適用可能であり、また、移動する行列の長さをカバーすべく出力等の調整により可聴範囲を制御しうるものである。【選択図】  図１
2006350137.tif 000002
【特許請求の範囲】
【請求項１】
静止する展示物が配置されている場内における音声ガイダンスシステムであって、各展示物の所定の位置に設置されたＦＭ（周波数変調）発信機から同一周波数で各展示物に関する情報を送信し、受信者側が当該展示物に対して所定の距離に近づいた時に、当該展示物に関する情報を他の展示物に関する情報と混信することなしに受信者側の同一受信機にて聞くことを特徴とする音声ガイダンスシステム。
【請求項２】
行列状に移動する展示物における音声ガイダンスシステムであって、各展示物の所定の位置に設置されたＦＭ（周波数変調）発信機から同一周波数で各展示物に関する情報を送信し、行列中の一の展示物が観客に近づいた時に、当該展示物に関する情報を周囲の展示物に関する情報と混信することなしに受信者側の同一受信機にて聞くことを特徴とする音声ガイダンスシステム。
【請求項３】
請求項２記載の音声ガイダンスシステムにおいて、前記ＦＭ（周波数変調）発信機を設置する所定の位置は、前記展示物の中央近傍であるとし、ＦＭ発信機を一定出力以下に自在に調整することを特徴とする音声ガイダンスシステム。
【請求項４】
請求項２記載の音声ガイダンスシステムにおいて、前記ＦＭ（周波数変調）発信機を設置する所定の位置は、前記展示物の端部であり、当該ＦＭ（周波数変調）発信機のアンテナは指向性を有するものであることを特徴とする音声ガイダンスシステム。
【請求項５】
請求項２乃至４のいずれかに記載の音声ガイダンスシステムにおいて、前記ＦＭ（周波数変調）発信器のアンテナを伸縮自在とすることを特徴とする音声ガイダンスシステム。
【発明の詳細な説明】
【技術分野】
【０００１】
本発明は、目の前の静止する展示物又は目の前を移動する展示物等の内容を混信することなく聞くことができる音声ガイダンスシステムに関し、特に、各種観光又は美術館等における目の前の静止する展示物、更にはイベント行列等、目の前を移動する展示物の各内容を、混信することなく聞くことができる音声ガイダンスシステムに関する。
【背景技術】
【０００２】
従来の音声ガイダンスシステムは、美術館または博覧会等における静止する展示物に関するものが大半であり、しかも音声ガイダンスのために専用に開発された特有の装置が使用されていた。
【０００３】
静止する展示物に関する音声ガイダンスシステムとしては、例えば、特許文献１に示すものが挙げられる。特許文献１では、観客は展示物の観賞用データを保存する携帯可能な自動案内装置を保持し、展示物から発信される固有の識別データを受信することによって、当該識別データに対応する鑑賞データ（展示物の内容）を聞くことができるものと記載されている。
【０００４】
特許文献２に示される音声データ供給方式は、カード型音声ガイダンス装置の携帯者が、特定エリアを通過する際、特定の場所に設置した音声データ無線送信機から展示説明等を、カード型音声ガイダンス装置へ自動的に無線供給するものであり、観客は無線供給された展示説明を常に最初から聞くことができると記載されている。
【０００５】
特許文献３に示される自動映像／音声ガイド装置は、観客が保有する携帯用ランダムアクセス型映像／音声再生装置の接近を展示物に取り付けられているリモコン装置が感知し、その展示物の内容を上記再生装置に向けて発信するものであり、上記再生装置を保有している観客がその内容を聞くことができると記載されている。
【０００６】
特許文献４に示される音声ガイド再生装置は、ディジタルで記録された展示物に関する音声データを観客が選択して聞くものであり、選択を間違えれば誤った音声データを聞くことになる。
【０００７】
特許文献５に示される観光案内情報システムでは、観光バスユニットが観光スポットから発信される電波ビーコンにより観光ガイド情報を受信し、蓄積し、ハンディ端末が観光バスユニットに蓄積された観光ガイド情報から当該観光スポットの内容を選択することにより、乗客が聞くことができるものであると記載されている。
【０００８】
移動する展示物に関するものとしては、特許文献６に示す情報提供方法があり、これは、展示物等に設置された近距離通信用情報送信端末であってBluetooth（登録商標）の規格に基づく無線通信を行うものを利用することにより、観客が保有する携帯電話によって展示物の内容を知ることができる。
【０００９】
【特許文献１】特許第２７６５７０３号公報
【特許文献２】特開平５−２８２５４２号公報
【特許文献３】登録実用新案第３０１５１５５号公報
【特許文献４】特開平１１−１４３４１９号公報
【特許文献５】特開２０００−２９９４２号公報
【特許文献６】特開２００３−８７１８８号公報
【発明の開示】
【発明が解決しようとする課題】
【００１０】
上述した従来の静止用又は移動用展示物の説明に使われる音声ガイダンスシステムでは、携帯電話を活用する場合も含めて、いずれも特別な送信機及び／又は受信機が必要である。特に、展示物から無線で発信される内容説明については、いずれも特別な受信機が使われており、通常その受信機の数が限られている場合が多く、このシステムの恩恵を受ける観客の数は限られている。特に、一般にイベント行列を見学する観客は不特定多数である場合が多く、特別な受信機を入手することが困難であるという問題があった。
【００１１】
上述のような特別の受信機を使用せず、一般の携帯電話器を使用し、展示物からの信号を送ることによりその説明等を聞くことができるシステムもある。しかし、携帯電話器では消費電力も大きく長時間の使用には耐えられないという問題があった。さらに、当該システムの受信可能距離は約１０ｍ前後であるため、イベント行列がそれより長い場合には聞くことができない観客も発生することになるという問題もあった。
【００１２】
上述の従来のシステムでは、展示物が接近したときに隣り合う展示物の説明に混信が発生する可能性があり、その防止技術については必ずしも明確に示されていないという問題があった。
【００１３】
そこで、本発明の目的は、上記問題を解決するためになされたものであり、特別に設計された送信機及び入手が困難な特別の受信機を使用することなく、長時間の使用に耐えると共に１０ｍを超すような長いイベント行列であっても展示物の説明を聞くことができ、展示物が接近した場合でも隣り合う展示物の説明に混信が発生することのない音声ガイダンスシステムを提供することにある。
【課題を解決するための手段】
【００１４】
この発明の音声ガイダンスシステムは、静止する展示物が配置されている場内における音声ガイダンスシステムであって、各展示物の所定の位置に設置されたＦＭ（周波数変調）発信機から同一周波数で各展示物に関する情報を送信し、受信者側が当該展示物に対して所定の距離に近づいた時に、当該展示物に関する情報を他の展示物に関する情報と混信することなしに受信者側の同一受信機にて聞くことを特徴とする。
【００１５】
この発明の音声ガイダンスシステムは、行列状に移動する展示物における音声ガイダンスシステムであって、各展示物の所定の位置に設置されたＦＭ（周波数変調）発信機から同一周波数で各展示物に関する情報を送信し、行列中の一の展示物が観客に近づいた時に、当該展示物に関する情報を周囲の展示物に関する情報と混信することなしに受信者側の同一受信機にて聞くことを特徴とする。
【００１６】
ここで、この発明の音声ガイダンスシステムにおいて、前記ＦＭ（周波数変調）発信機を設置する所定の位置は、前記展示物の中央近傍とし、ＦＭ発信機を一定出力以下に自在に調整することができる。
【００１７】
ここで、この発明の音声ガイダンスシステムにおいて、前記ＦＭ（周波数変調）発信機を設置する所定の位置は、前記展示物の端部であり、当該ＦＭ（周波数変調）発信機のアンテナは指向性を有するものとすることができる。
【００１８】
ここで、この発明の音声ガイダンスシステムにおいて、前記ＦＭ（周波数変調）発信器のアンテナを伸縮自在とすることができる。
【発明の効果】
【００１９】
本発明の音声ガイダンスシステムによれば、静止する展示物ばかりではなく、移動する展示物の説明にも適用することができる。観客が保持する受信機（再生装置）は、一般のＦＭ受信機又は最近市販されている安価なオートスキャン型薄型ＦＭ受信機でよい。送信機は、市販されているＦＭトランスミッターでよい。このため、特別に設計された送信機及び入手が困難な特別の受信機を使用することなく、長時間の使用に耐えるような音声ガイダンスシステムを提供することができるという効果がある。送信機の配置位置によって、発信アンテナ特性を変化させ、可聴範囲を調整することができる。静止する展示物に関しては、展示物周辺の観客の広がりに応じて可聴範囲を調整することが可能であり、また移動する展示物、例えばイベント行列等においては、その行列の長さに応じて可聴範囲を調整することが可能である。このため、１０ｍを超すような長いイベント行列であっても展示物の説明を聞くことができ、展示物が接近した場合でも隣り合う展示物の説明に混信が発生することのない音声ガイダンスシステムを提供することができるという効果がある。
【発明を実施するための最良の形態】
【００２０】
まず、本発明の音声ガイダンスシステムの概要について説明し、次に具体的な実施例及び実験結果について図面を参照して詳細に説明する。
【００２１】
美術品等の静止する展示物の説明においては、一般に、展示物の側にその由来、内容等に関する展示物の説明文が配置されている。しかし、目の悪い老人等は、細かい字の判読等が難しく、展示効果を半減させている。このような時、本発明の音声ガイダンスシステムにおける再生装置付きの小型のトランスミッター（ＦＭ発信機）を説明文の背後等（所定の位置）に配置しておけば、受付で配られる本発明の音声ガイダンスシステムにおけるカード型オートスキャンＦＭラジオ等（受信機）をイヤホンにて聴くことにより、展示物から離れた場合には、通常のＦＭ放送を楽しみつつ、展示物に接近した時には展示物の説明（各展示物に関する情報）を聞くことができる。この場合のトランスミッターは電波到達範囲が５ｍ（所定の距離）以下の出力の小さなものが望ましい。この時、隣の展示物との距離が１ｍ程度であっても混信なく展示物の説明を聞くことができる。本発明の音声ガイダンスシステムでは、周波数変調（ＦＭ）の特性として、同一搬送周波数であれば強度の強い方が選択される（マスキング効果）を活用し、混信を防ぐことに利用している。
【００２２】
本発明は、上記展示物が移動する場合にも利用することができる。即ち、例えば、津軽地方の代表的な夏祭りである『ねぷた』は、全部で６０基もの『ねぷた』が『出陣』する。しかし、一晩でこれら全基が『出陣』することは難しく、通常、毎晩３０基程度の『ねぷた』が『出陣』する。これらの『ねぷた』は、各町内会または企業等が自主的に製作するものであり、その絵柄の選択、作成等にはいろいろな物語が秘められている。また、何時どの『ねぷた』が出陣するかは、任意であり特に決められていない。また各『ねぷた』の内容は、会場全般で販売されるパンフレットに細かく記されているが、実際に目の前を通過する各『ねぷた』を観覧しつつその内容を読み取ることは不可能に近い。一方、このような事情から特定のスポットにおいてはアナウンサーが各『ねぷた』の内容をスピーカーを通して説明するが、全長約２０００ｍの観客席の全ての場所においてこのような説明を行うことはできない。
【００２３】
上述のような時、本発明の音声ガイダンスシステムを使って観客全員が祭りのより深い内容を楽しむことができる。即ち、各行列の中心に『ねぷた』が配置されるが、その『ねぷた』に上記再生装置付きの小型のトランスミッター（ＦＭ発信機）を搭載し、自己の『ねぷた』についての内容（各展示物に関する情報）についての説明を発信する。その説明の長さは、その行列が観客の前を通過する間に少なくとも２回繰り返す程度にしなければならない。何故なら、１回目の説明で聞き逃した部分を２回目の説明で聞き取れるようにするためである。従って、説明の長さは行列の長さに比例する。また、上記トランスミッターから発信される電波の有効到達距離は、（行列の長さ／２）以上にすることが好適であり、理想的には１．５×（行列の長さ／２）程度であるのが好ましい。いずれの場合であっても、電波の有効範囲を行列（展示物）の長さ以上とすることが好適である。
【００２４】
観客が保有する上記カード型オートスキャンＦＭラジオ（受信機）は、観客が自宅から持ってくる通常のＦＭラジオであっても良く、また、会場周辺にて安価で販売することもできる。最近では、イヤホン付き薄型オートスキャンＦＭラジオがワンコイン（５００円程度）で入手可能である。従って、会場の主催者等が特別な祭りのデザインをしたラジオとして販売可能であるし、その特別なデザインをしたラジオは、お土産にもなり、祭り終了後は通常のラジオとして十分使用可能である。
【実施例１】
【００２５】
以下に本発明の音声ガイダンスシステムに関する実施例および実験状況を説明するが、本発明の音声ガイダンスシステムは、以下の記載に何ら限定して解釈されるものではないことは勿論である。
【００２６】
本実施例に使用した機器の詳細を下記に示す。
再生装置．
ＭＰ３プレーヤー
トランスミッター関連．
１）トランスミッターメーカー名：中部特機産業株式会社
２）トランスミッター商品名    ：ＰＬＬ方式ＦＭトランスミッターＴＲＳ−１０００
３）電源  ：  ＤＣ１３．８Ｖ
４）高周波出力  ：  １ｍＷ以下
５）周波数  ：  ０．１〜１７０ＭＨｚ
６）電波到達距離  ：  約３０ｍ
アンテナ関連．
商品名  ：  ＦＭ８０
１）長さ範囲：  １ｍ
ＦＭラジオ．
１）ラジオメーカー  ：  株式会社大創産業
２）商品名          ：  オートスキャンミニＦＭラジオ
【００２７】
実験１．静止する展示物（トランスミッターＡ、Ｂ）と受信者（実験者甲）
上記再生装置付きの２台の上記トランスミッターＡ、Ｂを２０ｍ離して各々位置１、位置２（いずれも不図示）に配置し、発信周波数を同一の周波数７８ＭＨｚ（同一周波数）に設定し、トランスミッターＡからは音楽を発信し、トランスミッターＢからは朗読を発信させている。上記ＦＭラジオを保有した実験者甲が音楽発信中のトランスミッターＡの場所１からトランスミッターＢの場所２まで直線的に歩いて移動するとき、中間の地点、即ち両トランスミッターから１０ｍの地点で音楽から朗読の内容に変わり、以後朗読を発信するトランスミッターＢの位置まで変化しなかった。
【００２８】
実験２．
上述の状態において、朗読を発信するトランスミッターＢの出力を半分に設定して同様の実験を行った。この結果、音楽から朗読への切り替え場所が約５ｍ朗読を発信するトランスミッターＢ側に移動することが確認された。即ち、出力を調整することで切り替わり点を変更させることができることが分った。
【００２９】
実験３．移動する展示物（トランスミッターＡを保有する乙、トランスミッターＢを保有する丙）と受信者（実験者甲）
次に、再生装置付きの２台の上記トランスミッターＡ、Ｂを乙、丙の二名がそれぞれ保有し２０ｍ離れて各々位置１、位置２に立たせた。それぞれ発信周波数を７８ＭＨｚに設定し、乙の保有するトランスミッターＡからは音楽が発信され、丙の保有するトランスミッターＢからは朗読が発信されている。ＦＭラジオを保有した実験者甲は、始めトランスミッターＢを保有する丙の位置２に立って朗読を聴いている。実験者甲の合図と共に、乙及び丙は、乙は実験者甲の方向へ、丙は位置１及び２と同一線上で且つ同一速度で、実験者甲から遠ざかっていく。このとき、実験者甲は、乙が約１０ｍ、実験者甲に近づいた地点で朗読から音楽に変わることを確認した。
【００３０】
実験４．
再生装置付きの２台の上記トランスミッターＡ、Ｂを２０ｍ離して各々位置１、位置２に配置し、発信周波数を同一の周波数７８ＭＨｚに設定し、トランスミッターＡからは音楽を発信し、トランスミッターＢからは朗読を発信させている。それぞれのトランスミッターＡ、Ｂには、同一の指向性アンテナが装着され、その向きはトランスミッターＡのアンテナに関しては、トランスミッターＢと反対方向を向き、トランスミッターＢのアンテナに関してはトランスミッターＡの方向を向いている。オートスキャンミニラジオを保有した実験者甲が音楽発信中のトランスミッターＡの場所１からランスミッターＢの場所２まで直線的に歩いて移動するとき、トランスミッターＡからＢに向かって約１ｍの地点で音楽から朗読の内容に変わり、以後トランスミッターＢの位置まで変化しなかった。
【００３１】
実験５．
再生装置付きの２台の上記トランスミッターＡ、Ｂを２０ｍ離して各々位置１、位置２に配置し、発信周波数を同一の周波数７８ＭＨｚに設定し、トランスミッターＡからは音楽を発信し、トランスミッターＢからは朗読を発信させている。また、トランスミッターＢのアンテナの長さをトランスミッターＡのアンテナの半分の長さとした。ＦＭラジオを保有した実験者甲が音楽発信中のトランスミッターＡの場所１からトランスミッターＢの場所２まで直線的に歩いて移動するとき、１５ｍの地点で音楽から朗読の内容に変わり、以後朗読を発信するトランスミッターＢの位置２まで変化しなかった。
【００３２】
実験６．
弘前公園にて実際に本発明の音声ガイダンスシステムの実験を行った。図１は実験６が行われた状況を示す地図である。３台の再生装置付き同種のトランスミッターＡ、Ｂ、Ｃを準備し、トランスミッターＡに関しては弘前城天守閣位置１に配置し、トランスミッターＢに関しては追手門位置２（門上：所定の位置）に配置し、トランスミッターＣに関しては弘前公園側にある観光館位置３に配置した。トランスミッターＡ、Ｂ、Ｃに関して、トランスミッターＡは天守閣の説明を発信し、トランスミッターＢは追手門の説明を発信し、トランスミッターＣは観光館内で展示している津軽塗り等の説明を発信している。図１中、実験者甲はＦＭラジオを保有し矢印Ｘの経路で移動した。矢印Ｘ経路の中で、図１中Ｐ点において、説明内容が天守閣の説明（トランスミッターＡにおける説明）から追手門の説明（トランスミッターＢにおける説明）に切り替わり、Ｑ点において説明内容が追手門の説明（トランスミッターＢにおける説明）から津軽塗り等の説明（トランスミッターＣにおける説明）に切り替わり、Ｒ点において説明内容が津軽塗り等の説明（トランスミッターＣにおける説明）から追手門の説明（トランスミッターＢにおける説明）に切り替わることを確認した。それぞれ切り替わり地点、Ｐ、Ｑ、Ｒ地点での混信は観察されなかった。図１から判断すると、トランスミッターＡの電波がかなり遠方まで届いていたことになるが、これは発信器が高度の高い天守閣に配置されたため到達地点までの障害物が少なかったためかと推定される。トランスミッターＡ等は、展示物のほぼ中央（中央近傍）に配置し、トランスミッターＡ等の出力を一定出力以下に自在に調整することにより、電波の有効範囲を調整することができる。あるいは、指向性アンテナを有するトランスミッターＡ等を展示物の端部に配置することにより、電波の有効範囲を調整することができる。以上の場合において、トランスミッターＡ等のアンテナを伸縮自在とすることにより、電波の有効範囲を調整することができる。
【００３３】
以上より、本発明の実施例１によれば、静止する展示物が配置されている場内で、各展示物の所定の位置に設置されたＦＭトランスミッターＡ等から同一周波数で各展示物に関する情報を送信し、受信者側が当該展示物に対して所定の距離に近づいた時に、当該展示物に関する情報を他の展示物に関する情報と混信することなしに受信者側の同一受信機にて聞くことができる。このため、特別に設計された送信機及び入手が困難な特別の受信機を使用することなく、長時間の使用に耐え、展示物の説明を聞くことができ、隣り合う展示物の説明にも混信が発生することのない音声ガイダンスシステムを提供することができる。
【００３４】
さらに、本発明の実施例１によれば、行列状に移動する展示物における音声ガイダンスシステムであって、各展示物の所定の位置に設置されたＦＭトランスミッターＡ等から同一周波数で各展示物に関する情報を送信し、行列中の一の展示物が観客に近づいた時に、当該展示物に関する情報を周囲の展示物に関する情報と混信することなしに受信者側の同一受信機にて聞くことができる。このため、特別に設計された送信機及び入手が困難な特別の受信機を使用することなく、長時間の使用に耐えると共に１０ｍを超すような長いイベント行列であっても展示物の説明を聞くことができ、展示物が接近した場合でも隣り合う展示物の説明に混信が発生することのない音声ガイダンスシステムを提供することができる。
【産業上の利用可能性】
【００３５】
本発明の活用例として、美術館、博覧会等における静止した展示物ばかりでなく、イベント行列等の移動する展示物に関し、その展示物の内容を観客等に説明するシステムとして適用することができる。特殊な受信機を使うことなく、通常のＦＭラジオを使用する点において不特定多数の者が利用できるシステムであり、しかも隣り合う展示物の説明の混信の問題なく使用可能である。従って、使用分野は上記に限られるわけでなく、観光地における観光スポットの説明、または、お祭り等における出演チームの説明等への利用が可能であり様々な分野に適用することができる。
【図面の簡単な説明】
【００３６】
【図１】本発明の音声ガイダンスシステムの実験６が行われた状況を示す地図である。
【符号の説明】
【００３７】
１  天守閣位置、  ２  追手門位置、  ３  観光館位置。
【図１】
2006350137.tif 000003